(57)【要約】【課題】ユーザトラヒックのスループットの低下を防ぐことができる無線通信システムを得ること。【解決手段】端末と、ユーザデータをPDSCHで端末へ送信し、制御情報をPDCCHで端末へ送信する基地局とを備える無線通信システムであって、基地局は、DCI  format  1A／2AとDCI  format  1A／2AからMCSを削除したDCI  format  1E／2Eとのうち一方を選択する制御部１１と、選択されたフォーマットでPDCCH信号を生成するPDCCH／PDSCH生成部１２と、生成されたPDCCH信号をPDCCHにより端末へ送信する送受信部１３と、を備え、端末は、DCI  format  1E／2EのPDCCH信号を受信した場合、以前に受信したDCI  format  1A／2AのPDCCH信号のうち最も遅く受信した信号により通知されたMCSの値を用いてユーザデータを復調する。【選択図】図１
2014204285.tif 000002
【特許請求の範囲】
【請求項１】
端末と、ユーザデータをデータチャネルにより前記端末へ送信し、前記ユーザデータに関する制御情報を制御チャネルにより前記端末へ送信する基地局とを備える無線通信システムであって、
前記基地局は、
前記ユーザデータに施された変調および符号化率の方式を示す情報であるMCSを含む第１の形式と、前記第１の形式からMCSを削除した第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備え、
前記端末は、前記第２の形式の前記制御情報を受信した場合、以前に受信した前記第１の形式の前記制御情報のうち最も遅く受信した前記第１の形式の前記制御情報により通知されたMCSの値を用いて前記ユーザデータを復調することを特徴とする無線通信システム。
【請求項２】
前記制御部は、MCSを前回の前記制御情報の送信時から変更する場合に前記第１の形式を選択し、MCSを前回の前記制御情報送信時から変更しない場合に前記第２の形式を選択することを特徴とする請求項１に記載の無線通信システム。
【請求項３】
前記端末は、前記基地局との間の無線伝送品質を測定し、測定結果に基づいてCQIを求めて、CQIを前記基地局へ送信し、
前記制御部は、前記端末から受信したCQIに基づいてMCSを決定することを特徴とする請求項２に記載の無線通信システム。
【請求項４】
前記制御部は、前記端末からCQIを受信してから最初に前記制御情報を送信する場合、前記制御情報の形式として前記第１の形式を選択し、前記端末からCQIを受信してから２回目以降に前記制御情報を送信する場合、前記制御情報の形式として前記第２の形式を選択し、
前記端末は、自端末がCQIを送信してから自端末宛の前記第１の形式の前記制御情報を受信するまでの間は、前記第１の形式を、受信した前記制御情報の形式を検出する際の検出候補とし、自端末がCQIを送信後に自端末宛の前記第１の形式の前記制御情報を受信してから、次のCQIの送信までの間は、前記第２の形式を、受信した前記制御情報の形式を検出する際の検出候補とすることを特徴とする請求項３に記載の無線通信システム。
【請求項５】
端末と、ユーザデータをデータチャネルにより前記端末へ送信し、前記ユーザデータに関する制御情報を制御チャネルにより前記端末へ送信する基地局とを備える無線通信システムであって、
前記基地局は、
前記ユーザデータに施された変調および符号化率の方式を示す情報であるMCSとResource  block  assignmentとを含む第１の形式と、前記第１の形式からMCSおよびResource  block  assignmentを削除した第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備え、
前記端末は、前記第２の形式の前記制御情報を受信した場合、以前に受信した前記第１の形式の前記制御情報のうち最も遅く受信した前記第１の形式の前記制御情報により通知されたMCSの値を用いて前記ユーザデータを復調し、以前に受信した前記第１の形式の前記制御情報のうち最も遅く受信した前記第１の形式の前記制御情報により通知されたResource  block  assignmentによりリソース割り当て結果を把握することを特徴とする無線通信システム。
【請求項６】
前記制御部は、MCS、Resource  block  assignmentのうち少なくともいずれか一方を前回の前記制御情報送信時から変更する場合に前記第１の形式を選択し、MCS、Resource  block  assignmentのうち少なくともいずれか一方を前回の前記制御情報送信時から変更しない場合に前記第２の形式を選択することを特徴とする請求項５に記載の無線通信システム。
【請求項７】
前記制御部は、前記端末から前記ユーザデータの受信に成功しなかったことを示すNACKを受信すると、当該ユーザデータの再送制御を開始し、当該NACKを受信してから前記端末から前記ユーザデータの受信に成功したことを示すACKを受信するまでの間は前記第２の形式を選択し、前記端末から前記ユーザデータの受信に成功したことを示すACKを受信した後前記端末からNACKを受信するまでの間は、前記第１の形式を選択し、
前記端末は、前記基地局へNACKを送信してから、前記基地局へACKを送信するまでの間は、前記第２の形式を、受信した前記制御情報の形式を検出する際の検出候補とし、前記基地局へACKを送信してから前記基地局へNACKを送信するまでの間およびACKとNACKのいずれも前記基地局へ送信していない場合は、前記第１の形式を、受信した前記制御情報の形式を検出する際の検出候補とすることを特徴とする請求項５または６に記載の無線通信システム。
【請求項８】
端末と、ユーザデータをデータチャネルにより前記端末へ送信し、前記ユーザデータに関する制御情報を制御チャネルにより前記端末へ送信する基地局とを備える無線通信システムであって、
前記基地局は、
前記ユーザデータに施された変調および符号化率の方式を示す情報であるMCSと再送であるか初送であるかを示すNDIと冗長ビットに関する情報であるRVとを含む第１の形式と、前記第１の形式からMCS、NDIおよびRVを削除した第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備え、
前記端末は、前記第２の形式の前記制御情報を受信した場合、以前に受信した前記第１の形式の前記制御情報のうち最も遅く受信した前記第１の形式の前記制御情報により通知されたMCSの値を用いて前記ユーザデータを復調するとともに前記ユーザデータが初送であると判断することを特徴とする無線通信システム。
【請求項９】
前記制御部は、MCSを変更する場合、およびユーザデータの再送制御における再送を行う場合に、前記第１の形式を選択し、MCSを変更せずかつユーザデータの初送である場合に前記第２の形式を選択することを特徴とする請求項８に記載の無線通信システム。
【請求項１０】
前記端末は、前記基地局との間の無線伝送品質を測定し、測定結果に基づいてCQIを求めて、CQIを前記基地局へ送信し、
前記制御部は、前記端末から受信したCQIに基づいてMCSを決定することを特徴とする請求項８または９に記載の無線通信システム。
【請求項１１】
前記制御部は、前記制御情報送信時からMCSを変更する場合に前記第１の形式を選択し、前記端末から前記ユーザデータの受信に成功しなかったことを示すNACKを受信すると、当該ユーザデータの再送制御を開始し、当該NACKを受信してから前記端末から前記ユーザデータの受信に成功したことを示すACKを受信するまでの間は前記第１の形式を選択し、前記制御情報送信時からMCSを変更しない場合かつ前記基地局へACKを送信してから前記基地局へNACKを送信するまでの間は、前記第２の形式を選択し、
前記端末は、自端末がCQIを送信してから自端末宛の前記第１の形式の前記制御情報を受信するまでの間は、前記第１の形式を、受信した前記制御情報の形式を検出する際の検出候補とし、前記基地局へNACKを送信してから、前記基地局へACKを送信するまでの間は、前記第１の形式を、受信した前記制御情報の形式を検出する際の検出候補とし、自端末がCQIを送信後に自端末宛の前記第１の形式の前記制御情報を受信してから次のCQIの送信までの間であり、かつ前記基地局へACKを送信してから前記基地局へNACKを送信するまでの間およびACKとNACKのいずれも前記基地局へ送信していない場合は、前記第２の形式を、受信した前記制御情報の形式を検出する際の検出候補とすることを特徴とする請求項１０に記載の無線通信システム。
【請求項１２】
端末と、ユーザデータをデータチャネルにより前記端末へ送信し、前記ユーザデータに関する制御情報を制御チャネルにより前記端末へ送信する基地局とを備える無線通信システムであって、
前記基地局は、
前記ユーザデータに施された変調および符号化率の方式を示す情報であるMCSを含む第１の形式と、通知するMCSと前回通知したMCSとの差分であるD＿MCSを含む第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備え、
前記端末は、前記第２の形式の前記制御情報を受信した場合、受信した前記制御情報に格納されたD＿MCSと、以前に受信した前記第１の形式の前記制御情報のうち最も遅く受信した前記第１の形式の前記制御情報により通知されたMCSの値とに基づいて、前記ユーザデータに対応するMCSを求め、求めたMCSを用いて前記ユーザデータを復調することを特徴とする無線通信システム。
【請求項１３】
前記端末は、前記基地局との間の無線伝送品質を測定し、測定結果に基づいてCQIを求めて、CQIを前記基地局へ送信し、
前記制御部は、前記端末から受信したCQIに基づいてMCSを決定することを特徴とする請求項１２に記載の無線通信システム。
【請求項１４】
前記制御部は、前記端末からCQIを受信してから最初に前記制御情報を送信する場合、前記制御情報の形式として前記第１の形式を選択し、前記端末からCQIを受信してから２回目以降に前記制御情報を送信する場合、前記制御情報の形式として前記第２の形式を選択し、
前記端末は、自端末がCQIを送信してから自端末宛の前記第１の形式の前記制御情報を受信するまでの間は、前記第１の形式を、受信した前記制御情報の形式を検出する際の検出候補とし、自端末がCQIを送信後に自端末宛の前記第１の形式の前記制御情報を受信してから、次のCQIの送信までの間は、前記第２の形式を、受信した前記制御情報の形式を検出する際の検出候補とすることを特徴とする請求項１３に記載の無線通信システム。
【請求項１５】
前記制御部は、前記端末からCQIを受信してから最初に前記制御情報を送信してから一定時間以上、前記端末から前記制御情報の受信に成功したか否かの応答を受信しない場合または前記制御情報に対応するユーザデータの受信に成功したか否かの応答を受信しない場合、次の前記制御情報の送信時には、前記第１の形式を選択することを特徴とする請求項４、７、１１、１４のいずれか１つに記載の無線通信システム。
【請求項１６】
ユーザデータをデータチャネルにより端末へ送信し、前記ユーザデータに関する制御情報を制御チャネルにより前記端末へ送信する無線通信装置であって、
前記ユーザデータに施された変調および符号化率の方式を示す情報であるMCSを含む第１の形式と、前記第１の形式からMCSを削除した第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備えることを特徴とする無線通信装置。
【請求項１７】
ユーザデータをデータチャネルにより端末へ送信し、前記ユーザデータに関する制御情報を制御チャネルにより前記端末へ送信する無線通信装置であって、
前記ユーザデータに施された変調および符号化率の方式を示す情報であるMCSとResource  block  assignmentとを含む第１の形式と、前記第１の形式からMCSおよびResource  block  assignmentを削除した第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備えることを特徴とする無線通信装置。
【請求項１８】
ユーザデータをデータチャネルにより端末へ送信し、前記ユーザデータに関する制御情報を制御チャネルにより前記端末へ送信する無線通信装置であって、
前記ユーザデータに施された変調および符号化率の方式を示す情報であるMCSと再送であるか初送であるかを示すNDIと冗長ビットに関する情報であるRVとを含む第１の形式と、前記第１の形式からMCS、NDIおよびRVを削除した第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備えることを特徴とする無線通信装置。
【請求項１９】
ユーザデータをデータチャネルにより端末へ送信し、前記ユーザデータに関する制御情報を制御チャネルにより前記端末へ送信する無線通信装置であって、
前記ユーザデータに施された変調および符号化率の方式を示す情報であるMCSを含む第１の形式と、通知するMCSと前回通知したMCSとの差分であるD＿MCSを含む第２の形式とのうちいずれか一方を、前記端末に送信する前記制御情報の形式として選択する制御部と、
前記制御部による選択結果に基づいて、前記制御情報を生成する信号生成部と、
前記信号生成部により生成された前記制御情報を制御チャネルにより前記端末へ送信する送受信部と、
を備えることを特徴とする無線通信装置。
【請求項２０】
端末と、ユーザデータをデータチャネルにより前記端末へ送信し、前記ユーザデータに関する制御情報を制御チャネルにより前記端末へ送信する基地局とを備える無線通信システムにおける無線通信方法であって、
前記基地局が、前記ユーザデータに施された変調および符号化率の方式を示す情報であるMCSを含む第１の形式と、前記第１の形式からMCSを削除した第２の形式とのうちいずれか一方を、前記端末に送信する前記制御情報の形式として選択する選択ステップと、
前記基地局が、前記制御部による選択結果に基づいて、前記制御情報を生成し、生成した前記制御情報を制御チャネルにより前記端末へ送信する制御情報送信ステップと、
前記端末が、前記第２の形式の前記制御情報を受信した場合、以前に受信した最も近い前記第１の形式の前記制御情報により通知されたMCSの値を用いて前記ユーザデータを復調する復調ステップと、
を含むことを特徴とする無線通信方法。
【請求項２１】
端末と、ユーザデータをデータチャネルにより前記端末へ送信し、前記ユーザデータに関する制御情報を制御チャネルにより前記端末へ送信する基地局とを備える無線通信システムにおける無線通信方法であって、
前記基地局が、前記ユーザデータに施された変調および符号化率の方式を示す情報であるMCSとResource  block  assignmentとを含む第１の形式と、前記第１の形式からMCSおよびResource  block  assignmentを削除した第２の形式とのうちいずれか一方を、前記端末に送信する前記制御情報の形式として選択する選択ステップと、
前記基地局が、前記制御部による選択結果に基づいて、前記制御情報を生成し、生成した前記制御情報を制御チャネルにより前記端末へ送信する制御情報送信ステップと、
前記端末が、前記第２の形式の前記制御情報を受信した場合、以前に受信した前記第１の形式の前記制御情報のうち最も遅く受信した前記第１の形式の前記制御情報により通知されたResource  block  assignmentによりリソース割り当て結果を把握し、以前に受信した前記第１の形式の前記制御情報のうち最も遅く受信した前記第１の形式の前記制御情報により通知されたMCSの値を用いて前記ユーザデータを復調する復調ステップと、
を含むことを特徴とする無線通信方法。
【請求項２２】
端末と、ユーザデータをデータチャネルにより前記端末へ送信し、前記ユーザデータに関する制御情報を制御チャネルにより前記端末へ送信する基地局とを備える無線通信システムにおける無線通信方法であって、
前記基地局が、前記ユーザデータに施された変調および符号化率の方式を示す情報であるMCSと再送であるか初送であるかを示すNDIと冗長ビットに関する情報であるRVとを含む第１の形式と、前記第１の形式からMCS、NDIおよびRVを削除した第２の形式とのうちいずれか一方を、前記端末に送信する前記制御情報の形式として選択する選択ステップと、
前記基地局が、前記制御部による選択結果に基づいて、前記制御情報を生成し、生成した前記制御情報を制御チャネルにより前記端末へ送信する制御情報送信ステップと、
前記端末が、前記第２の形式の前記制御情報を受信した場合、以前に受信した前記第１の形式の前記制御情報のうち最も遅く受信した前記第１の形式の前記制御情報により通知されたMCSの値を用いて前記ユーザデータを復調するとともに前記ユーザデータが初送であると判断する復調ステップと、
を含むことを特徴とする無線通信方法。
【請求項２３】
端末と、ユーザデータをデータチャネルにより前記端末へ送信し、前記ユーザデータに関する制御情報を制御チャネルにより前記端末へ送信する基地局とを備える無線通信システムにおける無線通信方法であって、
前記基地局が、前記ユーザデータに施された変調および符号化率の方式を示す情報であるMCSを含む第１の形式と、通知するMCSと前回通知したMCSとの差分であるD＿MCSを含む第２の形式とのうちいずれか一方を、前記端末に送信する前記制御情報の形式として選択する選択ステップと、
前記基地局が、前記制御部による選択結果に基づいて、前記制御情報を生成し、生成した前記制御情報を制御チャネルにより前記端末へ送信する制御情報送信ステップと、
前記端末が、前記第２の形式の前記制御情報を受信した場合、受信した前記制御情報に格納されたD＿MCSと、以前に受信した前記第１の形式の前記制御情報のうち最も遅く受信した前記第１の形式の前記制御情報により通知されたMCSの値とに基づいて、前記ユーザデータに対応するMCSを求め、求めたMCSを用いて前記ユーザデータを復調する復調ステップと、
を含むことを特徴とする無線通信方法。
【発明の詳細な説明】
【技術分野】
【０００１】
本発明は、無線通信システム、無線通信装置、無線通信方法に関する。
【背景技術】
【０００２】
無線のセルラー通信方式の規格を作成する3GPP（3rd  Generation  Partnership  Project）にて、LTE（Long  Term  Evolution）およびLTE−Advancedの規格が作成されている。これらの規格では、下り通信（基地局から端末への方向）のユーザトラヒックはPDSCH（Physical  Downlink  Shared  Channel）と呼ばれる通信チャネルを用いて伝送する。その際、データ送信対象の端末向けのPDSCHの周波数位置情報は、PDCCH（Physical  Downlink  Control  Channel）と呼ばれる制御チャネルを用いて伝送する。端末は、自局向けのトラヒックデータが伝送されるPDSCHを受信するために、先にPDCCHを検出・受信する。PDCCHにより伝送される制御情報から自局宛PDSCHの周波数位置が特定できる。また、同様にPDCCHにより伝送される制御情報から得られるPDSCHの変調方式や誤り訂正符号化率が特定できるため、PDSCHの復調・復号が可能となる。また、１４個のOFDMシンボルから成るサブフレームと呼ばれる時間長が、リソース割当いわゆるスケジューリングの単位となる。PDCCHとして用いる範囲（PDCCHエリア）は、サブフレームあたり１〜３OFDMシンボルの範囲で変化し、残りのOFDMシンボルをPDSCHに使用することができる。
【０００３】
PDSCHを送る対象の端末が多い場合には、各PDSCHに関する制御情報の伝送を行うためPDCCH信号（PDCCHで伝送する信号）の数も多くなる。このような場合、多くのPDCCH信号を同時に伝送するために、PDCCHエリアを多くとる（最大３OFDMシンボル）。PDCCHで伝送する制御情報の一例としてDCI（Downlink  Control  Information）があり、DCIでは、制御目的や制御対象別にそれぞれフォーマットが定義されている。例えば、１つのデータ系列のみ送信するDCI  format  1A、２つの異なるデータ系列を同時に送信するとき（Spatial  Multiplexingを実施）に使用するDCI  format  2A等がある。これらDCI  formatの詳細は、下記非特許文献１の5.3.3.1.3節に記載されている。
【０００４】
端末にとって、自局宛のPDCCHがいつ送信されるかについては不明であるため、端末は常にPDCCH検出動作を行う必要がある。PDCCH検出動作では、周波数軸上での自局宛のPDCCHの存在位置の検出、受信したデータのフォーマットの検出等の動作を行う。具体的には、端末は、自局に割当てられた識別子を用いて受信データのCRC（Cyclic  Redundancy  Check）チェックを行い、CRC  OKとなることで自局宛のPDCCHの存在を特定する。また、フォーマット毎にビット長が異なるため、CRC  OKとなったときの情報ビットの長さからフォーマットを特定する。この際、周波数、フォーマットには、それぞれ複数の候補があるため、端末は全候補についてPDCCH検出動作を行わなければならない。
【先行技術文献】
【非特許文献】
【０００５】
【非特許文献１】3GPP，3GPP  TS  36.212  V9.3.0，２０１０年９月
【発明の概要】
【発明が解決しようとする課題】
【０００６】
上記従来の技術によれば、上述したように、同時に通信する端末数が多い場合、PDCCHの伝送に使用するエリアが多く必要となり、その分だけ、PDSCHエリアが少なくなる。すなわち、ユーザトラヒックを伝送するチャネルのエリアが少なくなるため、ユーザスループットが低下するという問題がある。
【０００７】
本発明は、上記に鑑みてなされたものであって、ユーザトラヒックのスループットの低下を防ぐことができる無線通信システム、無線通信装置、無線通信方法を得ることを目的とする。
【課題を解決するための手段】
【０００８】
上述した課題を解決し、目的を達成するために、本発明は、端末と、ユーザデータをデータチャネルにより前記端末へ送信し、前記ユーザデータに関する制御情報を制御チャネルにより前記端末へ送信する基地局とを備える無線通信システムであって、前記基地局は、前記ユーザデータに施された変調および符号化率の方式を示す情報であるMCSを含む第１の形式と、前記第１の形式からMCSを削除した第２の形式とのうちいずれか一方を、前記端末に送信する前記制御情報の形式として選択する制御部と、前記制御部による選択結果に基づいて、前記制御情報を生成する信号生成部と、前記信号生成部により生成された前記制御情報を制御チャネルにより前記端末へ送信する送受信部と、を備え、前記端末は、前記第２の形式の前記制御情報を受信した場合、以前に受信した前記第１の形式の前記制御情報のうち最も遅く受信した前記第１の形式の前記制御情報により通知されたMCSの値を用いて前記ユーザデータを復調することを特徴とする。
【発明の効果】
【０００９】
本発明によれば、ユーザトラヒックのスループットの低下を防ぐことができるという効果を奏する。
【図面の簡単な説明】
【００１０】
【図１】図１は、実施の形態１の基地局の機能構成例を示す図である。
【図２】図２は、実施の形態１の端末の機能構成例を示す図である。
【図３】図３は、LTE／LTE−AdvancedにおけるPDCCHとPDSCHの関係を示す図である。
【図４】図４は、LTE／LTE−Advancedにおける複数端末との通信時のPDCCHとPDSCHの配置例を示す図である。
【図５】図５は、DCI  format  1Aで伝送する制御情報を示す図である。
【図６】図６は、DCI  format  2Aで伝送する制御情報を示す図である。
【図７】図７は、3GPPの規格に基づく基地局と端末間のPDCCH／PDSCHおよびPUCCHの伝送の一例を示す図である。
【図８】図８は、実施の形態１における１つのデータ系列を送信する場合に用いる新たなDCI  formatの一例を示す図である。
【図９】図９は、実施の形態１における２つの異なるデータ系列を同時に送信する場合に用いる新たなDCI  formatの一例を示す図である。
【図１０】図１０は、実施の形態１のDCI  format  1Eを用いた制御の一例を示すチャート図である。
【図１１】図１１は、実施の形態２のDCI  formatの一例を示す図である。
【図１２】図１２は、実施の形態２のDCI  formatの一例を示す図である。
【図１３】図１３は、実施の形態２のDCI  format  1Fを用いた制御の一例を示すチャート図である。
【図１４】図１４は、実施の形態３のDCI  formatの一例を示す図である。
【図１５】図１５は、実施の形態３のDCI  formatの一例を示す図である。
【図１６】図１６は、実施の形態３のDCI  format  1Gを用いた制御の一例を示すチャート図である。
【図１７】図１７は、実施の形態４のDCI  formatの一例を示す図である。
【図１８】図１８は、実施の形態４のDCI  formatの一例を示す図である。
【図１９】図１９は、Differential  MCS（D＿MCS）の定義例を示す図である。
【図２０】図２０は、実施の形態４のDCI  format  1Hを用いた制御の一例を示すチャート図である。
【発明を実施するための形態】
【００１１】
以下に、本発明にかかる無線通信システム、無線通信装置、無線通信方法の実施の形態を図面に基づいて詳細に説明する。なお、この実施の形態によりこの発明が限定されるものではない。
【００１２】
実施の形態１．
図１は、本発明にかかる無線通信システムを構成する基地局（無線通信装置）の実施の形態１の機能構成例を示す図である。本実施の形態の基地局は、図１に示すように、制御部１１、PDCCH／PDSCH生成部（信号生成部）１２、送受信部１３およびPUCCH解析部１４を備える。
【００１３】
図２は、本実施の形態の無線通信システムを構成する端末の機能構成例を示す図である。図２に示すように、本実施の形態の端末は、制御部２１、ユーザインタフェース部２２、PDCCH／PDSCH復号化部２３、送受信部２４、品質測定部２５、PUCCH（Physical  Uplink  Control  Channel）生成部２６を備える。
【００１４】
本実施の形態の無線通信システムでは、基本的な動作はLTEまたはLTE−Advancedの規格に従って実施される。LTEおよびLTE−Advancedでは、PDSCH（データチャネル）によりユーザデータが送信されるが、PDSCHにより送信されるユーザデータの変調方式や誤り訂正符号化率等は、PDCCHと呼ばれる制御チャネルにより送信される。LTEおよびLTE−Advancedでは、１４個のOFDMシンボルから成るサブフレーム単位でリソース割り当てが実施される。
【００１５】
図３は、LTE／LTE−AdvancedにおけるPDCCHとPDSCHの関係を示す図である。図３に示すPDCCHとして用いる範囲（PDCCHエリア）は、サブフレームあたり１〜３OFDMシンボルの範囲で可変である。図４は、LTE／LTE−Advancedにおける複数端末との通信時のPDCCHとPDSCHの配置例を示す図である。図４では、端末Ａ，Ｂ，Ｃの３つに対して、基地局が下り信号を送信する際のPDCCHとPDSCHの配置例を示している。図４に示すように、端末Ａ，Ｂ，Ｃのそれぞれについて、PDSCHで送信する信号に関する制御情報をPDCCHにより通知する。したがって、PDSCHを用いてデータ送信を行う送信対象の端末が多い場合には、端末ごとのPDSCHに関する制御情報を載せるPDCCHの数も多くなる。このような場合、多くのPDCCH信号を同時に伝送するため、PDCCHエリアに必要なOFDMシンボル数は多くなり、図４の例では最大の3OFDMシンボルをPDCCHエリアに使用している。
【００１６】
PDCCHで伝送する制御情報の一例としてDCI（Downlink  Control  Information）があり、非特許文献１に記載されているように、制御目的や制御対象別にそれぞれ複数のフォーマット（DCI  format）が定義されている。非特許文献１に記載されているDCI  formatとしては、例えば、１つのデータ系列のみ送信するDCI  format  1A、２つの異なるデータ系列を同時に送信するときに使用するDCI  format  2A等がある。図５は、DCI  format  1Aで伝送する制御情報を示す図である。図６は、DCI  format  2Aで伝送する制御情報を示す図である。
【００１７】
端末にとっては、自局宛のPDCCH信号がいつ送信されるかが不明であるため、端末は、常にPDCCH検出動作（周波数軸上での自局宛のPDCCHの存在位置の検出、受信したデータのフォーマットの検出等）を行う必要がある。
【００１８】
また、図５，６に記載されているMCSは、PDSCHにより送信されるユーザデータに対して施される変調方式や誤り訂正符号化率等を示す情報であり、下り通信回線の伝送路品質に合わせて選択されるものである。伝送路品質が良ければ、多値数が多い変調方式，高符号化率に相当するMCSが選択され、伝送路品質が悪ければ、多値数が少ない変調方式，低符号化率に相当するMCSが選択される。伝送路品質は、端末が伝送路を測定した結果を基地局に報告することが3GPPの規格として規定されている。このときの報告値をCQIと呼ぶ。基地局では、このCQIに基づいてMCSを選択する。
【００１９】
図７は、3GPPの規格に基づく基地局と端末間のPDCCH／PDSCHおよびPUCCHの伝送の一例を示す図である。PUCCH信号は、CQIを伝送する上り（端末から基地局の方向）制御チャネルである。なお、PUCCH信号はCQIの他に、PDSCH信号の受信結果（成功または失敗）を通知するACK／NACK，端末が上り通信チャネルの割当を要求するためのSR（Scheduling  Request）も伝送することができる。
【００２０】
上述したように、PDSCHを用いてデータ送信を行う送信対象の端末が多い場合には、端末ごとのPDSCHに関する制御情報を載せるPDCCHの数も多くなる。すなわち、ユーザトラヒックを伝送するチャネルのエリアが少なくなり、ユーザデータ伝送のスループットが低下する。本実施の形態では、このスループットの低下を抑制するために、新たなDCI  formatを定義する。
【００２１】
図８は、１つのデータ系列を送信する場合に用いる新たなDCI  format（以降、DCI  format  1Eという）の一例を示す図である。図８に示すように、DCI  format  1Eは、図５に示したDCI  format  1Aに比べるとMCS情報を持っていない。なお、DCI  format  1Aに存在した“Flag  for  format0／format1A  differentiation”もDCI  format  1Eでは不要であり図８では記載していない。ただし、format0（DCI  format  0）とformat1A（DCI  format  1A）の関係と同様に、DCI  format  1Eと同じビット数となる他のformatが存在する場合には同様のフラグが必要となる。
【００２２】
図９は、２つの異なるデータ系列を同時に送信する場合に用いる新たなDCI  format（以降、DCI  format  2Eという）の一例を示す図である。DCI  format  1Eと同様に、DCI  format  2Eでは、DCI  format  2AからMCSの情報を削除している。
【００２３】
次に、本実施の形態の動作について説明する。まず、図１を用いて基地局の動作を説明する。制御部１１は、端末との接続シーケンス，通信ネットワーク網からの通信データ到来を管理し、端末へのリソース割り当て等を行い、PDCCH／PDSCH生成部１２にPDCCH信号およびPDSCH信号の生成を指示する。具体的には、制御部１１は、3GPPで規定された基地局としての制御動作（リソース割り当て等）を実施するとともに、さらに、端末に対して前回送信時と同じMCSとするか異なるMCSとするかを判断し、その判断結果に基づいて、生成するDCI  formatを選択し、選択した結果（選択情報）をPDCCH／PDSCH生成部１２に通知する。制御部１１は、前回送信時と同じMCSとする場合にはDCI  format  1E／2Eを選択し、異なるMCSとする場合にはDCI  format  1A／2Aを選択する。また、制御部１１は、生成するDCI  formatの選択情報をPDCCH／PDSCH生成部１２に通知する。
【００２４】
PDCCH／PDSCH生成部１２は、制御部１１からの指示に基づいて、PDCCHで送信する信号（PDCCH信号）およびPDSCHで送信する信号（PDSCH信号）を生成する。PDCCH／PDSCH生成部１２は、PDCCHの生成については、制御部１１から通知されたDCI  formatの選択情報に基づいて、指定されたDCI  formatでPDCCH信号を生成する。また、生成したPDCCH／PDSCH信号を送受信部１３に送る。送受信部１３は、PDCCH／PDSCH生成部１２から得たPDCCH／PDSCH信号に対して変調，高周波信号への変換を実施し、無線信号として送信する。さらに送受信部１３は、端末からのPUCCH信号を受信し、受信したPUCCH信号に対して、低周波信号への変換，復調を行った後にPUCCH解析部１４に引き渡す。PUCCH解析部１４は、送受信部１３から受け取ったPUCCH信号に基づいてCQIを特定し、特定した結果（CQI）を制御部１１に通知する。制御部１１は、通知を受けたCQIを基に次のPDSCH信号を送信する時のMCSを決定する。また、PUCCH解析部１４は受信したPUCCH信号からACK（ACKnowledgement）／NACK（Negative  ACKnowledgement）の特定も行い、その結果を制御部１１に通知する。
【００２５】
次に、図２を用いて端末の動作を説明する。制御部２１は、基地局との接続シーケンス，ユーザインタフェース部２２からの通信データ到来を管理し、PDCCH／PDSCH復号化部２３にPDCCH／PDSCH信号の復号を指示する。PDCCH／PDSCH復号化部２３は、制御部２１からの指示に基づいて、送受信部２４から受信した信号を復号する。送受信部２４は、基地局からPDCCH／PDSCH信号を受信し、受信した信号に対して低周波信号への変換，復調を行った後にPDCCH／PDSCH復号化部２３にPDCCH／PDSCH信号を引き渡す。品質測定部２５は、送受信部２４で受信した信号に対して品質を測定し、その測定結果を制御部２１に通知する。制御部２１は、品質測定部２５から測定結果を受け取ると、通知された測定結果とともにPUCCH信号の生成の指示をPUCCH生成部２６へ出力する。PUCCH生成部２６は、制御部２１からのPUCCH信号生成の指示を受信すると、指示とともに通知された測定結果に基づいて、基地局との間の無線伝送品質を示すCQIを生成し、生成したCQIを格納したPUCCH信号を生成して送受信部２４に送る。
【００２６】
また、制御部２１は、PDSCH信号の復号結果（成功または失敗）を受け取ると、受け取った復号結果とともにPUCCH信号の生成の指示をPUCCH生成部２６へ出力する。PUCCH生成部２６は、制御部２１からのPUCCH信号生成の指示を受信すると、指示とともに制御部２１から通知された復号結果に基づいてACK／NACKを生成し、ACK／NACKを格納したPUCCH信号を生成して送受信部２４に送る。送受信部２４は、CQIまたはACK／NACKが格納されたPUCCH信号に対して変調，高周波信号への変換等を実施し、無線信号として基地局へ送信する。
【００２７】
また、制御部２１は、PDCCH／PDSCH復号化部２３により復号されたPDCCH信号に基づいて、PDCCH検出動作を行う。具体的には、例えば、自局に割当てられた識別子を用いて受信データのCRCチェックを行い、CRC  OKとなることで自局宛のPDCCH信号の存在を特定する。また、フォーマット毎にビット長が異なるため、CRC  OKとなったときの情報ビットの長さからフォーマットを特定する。また、ビット長が同じフォーマットについては、PDCCH信号のフォーマットの種別を表す情報（例えば、上述の“Flag  for  format0／format1A  differentiation”）に基づいてフォーマットを特定する。制御部２１は、DCI  format  1A，DCI  format  2A等の３GPPで規定されたフォーマットであると特定した場合、変調方式等については、従来と同様にPDCCH信号のMCSに基づいて決定し、決定した変調方式等に対応した復号化方法をPDCCH／PDSCH復号化部２３へ指示する。DCI  format  1E，DCI  format  2E等のMCSを削除した新たなフォーマットであると特定した場合、制御部２１は、変調方式等については変更無しと判断し、それまでと同じ変調方式等をPDCCH／PDSCH復号化部２３へ指示する。
【００２８】
図１０は、本実施の形態のDCI  format  1Eを用いた制御の一例を示すチャート図である。端末は、CQIをPUCCH信号により基地局へ報告する（ステップＳ１１）。基地局は、受信したPUCCH信号に格納されたCQIに基づいてMCSを決定し（このとき決定したMCSをMCSxとする）、既存のDCI  format  1A（format  1A）のフォーマットのPDCCH信号にMCSxを格納して通知する（ステップＳ１２）。次のPDCCH信号の送信タイミングでは、基地局は、MCSを前回送信時のMCS（MCSx）から変えないと判断し、MCSを通知しないDCI  format  1E（format  1E）のフォーマットのPDCCH信号を送信する（ステップＳ１３）。その次のPDCCH信号の送信タイミングもステップＳ１３と同様である（ステップＳ１４）。
【００２９】
端末は、ステップＳ１３およびステップＳ１４では、DCI  format  1Eを検出し、MCSについては、ステップＳ１２で受信したMCSと同じ、すなわちMCSxであると判断し、MCSxに基づいてPDSCH信号の復調・復号を行う。
【００３０】
ステップＳ１４の後、端末は、再び、CQIをPUCCH信号により基地局へ報告する（ステップＳ１５）。基地局は、ステップＳ１５で受信したCQIに基づいてMCSを決定し、この決定したMCSがMCSxと異なるものであった場合（このとき決定したMCSをMCSyとする）、MCSとしてMCSyを格納したPDCCH信号をDCI  format  1Aを用いて送信する（ステップＳ１６）。その次のPDCCH信号の送信タイミングでは、MCSをMCSyから変更しないため、MCSを通知しないDCI  format  1EのフォーマットのPDCCH信号を送信する（ステップＳ１７）。
【００３１】
図１０の例で示したように、ステップＳ１３，Ｓ１４，Ｓ１７では、基地局はMCSを通知せず、その分の制御ビット数が少ないPDCCH信号を送ることにより、PDCCHエリアを削減することができる。このため、PDSCHに使用できるリソースエリアが増大し、ユーザスループットの向上が期待できる。なお、図１０では、DCI  format  1A／1Eを切り替えることにより制御を行う例を説明したが、同様に、DCI  format  2A／2Eの切り替えを行う制御も可能である。さらに、DCI  format  1A／2Eの切り替え、DCI  format  2A／1Eの切り替えも可能である。また、前述していないが、3GPPで定義されているDCI  format  2との組み合わせも可能である。すなわち、既存のDCI  formatと本実施の形態で定義する新しいDCI  formatの組み合わせに制限は無い。
【００３２】
実施の形態２．
図１１，１２は、本発明にかかる無線通信システムにおける実施の形態２の新たなDCI  formatの一例を示す図である。本実施の形態の無線通信システムを構成する基地局および端末の構成は、実施の形態１と同様である。以下、実施の形態１と異なる部分について説明する。
【００３３】
本実施の形態では、図１１，１２に示した新たなフォーマットを定義する。図１１に示すフォーマットでは、DCI  format  1Aと比べるとMCSとResource  block  assignmentの情報が削除されている。以下、図１１に示したフォーマットをDCI  format  1Fという。図１２に示すフォーマットでは、DCI  format  2Aと比べるとMCSとResource  block  assignmentの情報が削除されている。以下、図１２に示したフォーマットを、DCI  format  2Fという。
【００３４】
DCI  format  1F／2Fは、前回のPDCCH信号送信時に比べてResource  Block  assignmentが変わらない場合に使用する。本実施の形態の基地局では、制御部１１は、前回のPDCCH信号送信時に比べて、MCSが変わらず、かつResource  Block  assignmentが変わらない場合、DCI  format  1Fを選択する。これは特に、端末がPDSCH信号の受信に失敗した際に実施するHARQ（Hybrid  Automatic  Repeat  reQuest）再送時に有効である。HARQ時にDCI  format  1F／2Fを用いる場合、制御部１１は、端末から受信したPUCCH信号に格納されたACK／NACKの情報がNACKであった場合、DCI  format  1F／2Fを用いると判断する。なお、DCI  format  1F／2Fを用いるタイミングは、HARQ実施時に限定されない。端末では、DCI  format  1F／2Fを受信した場合には、MCSおよびResource  Block  assignmentが変更無いと判断して動作する。
【００３５】
図１３は、本実施の形態のDCI  format  1Fを用いた制御の一例を示すチャート図である。端末は、CQIをPUCCH信号により基地局へ報告する（ステップＳ２１）。基地局は、受信したPUCCH信号に格納されたCQIに基づいてMCSを決定し、また送信データ量や他端末の存在の有無などを考慮して、端末に対するResource  Block  assignment（リソース割り当て結果）を決定し、DCI  format  1Aのフォーマットにより、決定した情報をPDCCH信号に格納して通知する（ステップＳ２２）。端末は、ステップＳ２２で送信されたPDCCH信号に対応する（ステップＳ２２で送信されたPDCCH信号より制御情報が通知された）PDSCH信号の受信に失敗したため、NACKを格納したPUCCH信号を返送する（ステップＳ２３）。
【００３６】
基地局は、NACKが格納されたPUCCH信号を受信すると、PDSCH信号についてHARQ再送を行うために、MCSおよびResource  Block  assignmentを前回送信から変更せずにPDSCH信号の再送を行うと決定し、DCI  format  1FでPDCCH信号を送信する（ステップＳ２４）。端末は、DCI  format  1FのPDCCH信号を受信すると、MCSおよびResource  Block  assignmentは、その前に（ステップＳ２２で）受信したPDCCH信号で通知されたものと変更無いと判断して受信動作を行う。次に、端末は、ステップＳ２４で送信されたPDCCH信号に対応するPDSCH信号の受信の受信に成功したため、ACKを格納したPUCCH信号を返送する（ステップＳ２５）。
【００３７】
次に、基地局は、前回送信時（ステップＳ２４）とは少なくともResource  Block  assignmentを変更すると決定した場合、DCI  format  1Aを用いたPDCCH信号を送信する（ステップＳ２６）。端末は、ステップＳ２６で送信されたPDCCH信号に対応するPDSCH信号の受信の受信に成功したため、ACKを格納したPUCCH信号を返送する（ステップＳ２７）。基地局は、前回送信時（ステップＳ２６）とは少なくともResource  Block  assignmentを変更すると決定した場合、DCI  format  1Aを用いたPDCCH信号を送信する（ステップＳ２８）。なお、MCSおよびResource  Block  assignmentを前回送信から変更しない場合は、ACKを格納したPUCCH信号を受信した場合でも、DCI  format  1FでPDCCH信号を送信してもよい。
【００３８】
なお、図１３では、DCI  format  1A／1Fを切り替えることにより制御を行う例を説明したが、同様に、DCI  format  2A／2Fの切り替えを行う制御も可能である。また、MCSに変更がなくResource  Block  assignmentに変更がある場合には実施の形態１で述べたDCI  format  1E／2Eを用い、MCSに変更がなくResource  Block  assignmentにも変更がない場合にDCI  format  1F／2Fを用いるようにして、DCI  format  1A／1E／1Fを切替えて制御するようにしてもよい。
【００３９】
以上のように、本実施の形態では、基地局は、MCSおよびResource  Block  assignmentを前回送信から変更しない場合、MCSおよびResource  Block  assignmentの情報を削除したDCI  format  1FによりPDCCH信号を送信するようにした。このため、実施の形態１よりさらにPDSCHに使用できるリソースエリアが増大し、ユーザスループットの向上が期待できる。なお、本実施の形態では、MCSとResource  Block  assignmentの両方を削除したフォーマットを用いる例について説明したが、Resource  Block  assignmentのみを削除したフォーマットを定義し、Resource  Block  assignmentの変更がない場合に用いてもよい。
【００４０】
実施の形態３．
図１４，１５は、本発明にかかる無線通信システムにおける実施の形態３の新たなDCI  formatの一例を示す図である。本実施の形態の無線通信システムを構成する基地局および端末の構成は、実施の形態１と同様である。以下、実施の形態１と異なる部分について説明する。
【００４１】
本実施の形態では、図１４，１５に示した新たなフォーマットを定義する。図１４に示すフォーマットでは、DCI  format  1Aと比べるとMCS、NDIおよびRVの情報が削除されている。以下、図１４に示したフォーマットをDCI  format  1Gという。図１５に示すフォーマットでは、DCI  format  2Aと比べるとMCS、NDIおよびRVの情報が削除されている。以下、図１５に示したフォーマットを、DCI  format  2Gという。
【００４２】
本実施の形態の基地局では、制御部１１は、HARQ初送であるか再送であるか、および前回送信時とMCSを変えるか変えないかの２つの条件に基づいてDCI  formatを選択する。具体的には、HARQ初送でありかつMCSを変更しない場合に、DCI  format  1G／2Gを選択し、それ以外の場合はDCI  format  1A／2Aを選択する。端末は、DCI  formatを検出して、DCI  format  1G／2Gであると判定した場合、MCSについては前回通知されたMCSと変更無しと判断し、また、HARQ初送であると判断してNDI，RVについては暗示的に決定して、PDSCH信号の復調・復号を行う。
【００４３】
図１４，１５に示したDCI  format  1G／2Gは、HARQの初送の場合に使用する。図１６は本実施の形態のDCI  format  1Gを用いた制御の一例を示すチャート図である。端末は、CQIをPUCCH信号により基地局へ報告する（ステップＳ３１）。基地局は、受信したPUCCH信号に格納されたCQIに基づいてMCSを決定し、DCI  format  1Aのフォーマットにより、決定したMCSをPDCCH信号に格納して通知する（ステップＳ３２）。端末は、ステップＳ３２で送信されたPDCCH信号に対応する（ステップＳ３２で送信されたPDCCH信号より制御情報が通知された）PDSCH信号の受信に成功したため、ACKを格納したPUCCH信号を返送する（ステップＳ３３）。
【００４４】
ACKが格納されたPUCCH信号を受信した基地局は、HARQ初送を実施すると判断し、かつ、前回送信からMCSの変更を行わないと判断し、DCI  format  1GによるPDCCH信号を送信する（ステップＳ３４）。端末は、ステップＳ３４で送信されたPDCCH信号に対応する（ステップＳ３４で送信されたPDCCH信号より制御情報が通知された）PDSCH信号の受信に失敗したため、NACKを格納したPUCCH信号を返送する（ステップＳ３５）。基地局は、NACKが格納されたPUCCH信号を受信すると、HARQ再送を実施すると判断し、NDIやRVの情報を通知するため、DCI  format  1Aを用いてPDCCH信号を送信する（ステップＳ３６）。次に、基地局は、ACKが格納されたPUCCH信号を受信する（ステップＳ３７）と、HARQ再送の初送を実施すると判断し、かつMCSの変更を行わないと判断するとDCI  format  1Gを用いてPDCCH信号を送信する（ステップＳ３８）。端末は、DCI  format  1Aを検出した場合には、NDI，RVの情報に基づいて、初送／再送の判断，冗長ビット情報の判断を行い、PDSCH信号の復号を行う。一方、DCI  format  1Gを検出した場合には、端末は初送であると判断し、PDSCH信号の復号を行う。なお、基地局は、HARQ初送であってもMCSの変更を行う場合、またはMCSを一度も端末に通知していない場合は、DCI  format  1Aを用いてPDCCH信号を送信する。
【００４５】
なお、図１６では、DCI  format  1A／1Gを切り替えることにより制御を行う例を説明したが、同様に、DCI  format  2A／2Gの切り替えを行う制御も可能である。また、MCSに変更がなくHARQ初送の場合はDCI  format  1G／2Gを用い、MCSに変更がなくHARQ再送の場合はDCI  format  1E／2Eを用い、それ以外の場合はDCI  format  1A／2Aを用いるというように、DCI  format  1G／2G、DCI  format  1E／2E、DCI  format  1A／2Aを切り替えて制御するようにしてもよい。同様に、DCI  format  1G／2G、DCI  format  1E／2E、DCI  format  1F／2F、DCI  format  1A／2Aを切り替えて制御するようにしてもよい。
【００４６】
以上のように、本実施の形態では、基地局は、MCSを前回送信から変更せずかつHARQ初送の場合は、MCS、NDIおよびRVの情報を削除したDCI  format  1G／2GによりPDCCH信号を送信するようにした。このため、HARQ初送の場合、実施の形態１よりさらにPDSCHに使用できるリソースエリアが増大し、ユーザスループットの向上が期待できる。なお、本実施の形態では、MCS、NDIおよびRVを削除したフォーマットを用いる例について説明したが、NDIおよびRVのみを削除したフォーマットを定義し、HARQ初送の場合に用いてもよい。
【００４７】
実施の形態４．
図１７，１８は、本発明にかかる無線通信システムにおける実施の形態４の新たなDCI  formatの一例を示す図である。本実施の形態の無線通信システムを構成する基地局および端末の構成は、実施の形態１と同様である。以下、実施の形態１と異なる部分について説明する。
【００４８】
本実施の形態では、図１７，１８に示した新たなフォーマットを定義する。図１７に示すフォーマットでは、DCI  format  1Aと比べると、MCSをDifferential  MCSに替え、“Flag  for  format0／format1A  differentiation”が削除されている。ただし、format0とformat1Aの関係と同様に、図１７のフォーマットと同じビット数となる他のフォーマットが存在する場合には同様のフラグが必要となる。以下、図１７に示したフォーマットをDCI  format  1Hという。図１８に示すフォーマットでは、DCI  format  2Aと比べると、MCSをDifferential  MCSに替えている。
【００４９】
図１９は、Differential  MCS（D＿MCS）の定義例を示す図である。一般に、MCSはIndexと変調方式および符号化率等との対応が定められ、MCSとしてIndexを指定することにより変調方式および符号化率等が通知される。ここで、本実施の形態では、このIndexの値をランクとよび、変調方式および符号化率の変化が少ない場合にはランクの差分を求めて、差分をD＿MCSとして通知する。例えば、図１９に示すように、D＿MCS＝０であれば、前回送信時のMCSから３ランク下げたもの、D＿MCS＝３であれば、前回送信時のMCSから変更なし、D＿MCS＝７であれば、前回送信時のMCSから３ランク上げたもの、などと定義する。なお、図１９は、一例であり、Differential  MCSの定義はこれに限定されない。このように、Differential  MCSを定義することで、制御ビット数を削減しながらも、DCI  format  1E／2Eと異なり常にMCSの変更が可能となる。なお、図１９では、D＿MCSとして３ビットを使用する例を記載しているが、D＿MCSのビット数はこれに限定されず、DCI  format  1A／2AのMCSのビット数より少ないビット数であればよい。
【００５０】
本実施の形態の基地局では、制御部１１は、DCI  format  1AとDCI  format  1Hのいずれを使用するかを判断する。具体的には、MCSの変更がないまたはMCSのランクを増加／減少させる変更を行う場合にはDCI  format  1Hを選択し、DCI  format  1Hでは表現できないランクの大きさでMCSを変更する場合にはDCI  format  1Aを選択する。本実施の形態の端末は、DCI  formatを検出して、DCI  format  1H／2Hであると判定した場合、D＿MCSに基づいて前回通知されたMCSと変更無しまたはランクの変更であると判断してPDSCH信号の復調・復号を行う。
【００５１】
図２０は本実施の形態のDCI  format  1Hを用いた制御の一例を示すチャート図である。端末は、CQIをPUCCH信号により基地局へ報告する（ステップＳ４１）。基地局は、受信したPUCCH信号に格納されたCQIに基づいてMCSを決定し（このとき決定したMCSをMCSxとする）、既存のDCI  format  1A（format  1A）のフォーマットのPDCCH信号にMCSxを格納して通知する（ステップＳ４２）。次のPDCCH信号の送信タイミングでは、基地局は、MCSを前回送信時のMCS（MCSx）から１ランク下げると決定したため、D＿MCS＝２としてDCI  format  1Eを用いたPDCCH信号を送信する（ステップＳ４３）。その次のPDCCH信号の送信タイミングでは、基地局は、MCSを変更しないため、D＿MCS＝３としてDCI  format  1Hを用いたPDCCH信号を送信する（ステップＳ４４）。
【００５２】
ステップＳ４４の後、端末は、再び、CQIをPUCCH信号により基地局へ報告する（ステップＳ４５）。基地局は、ステップＳ４５で受信したCQIに基づいてMCSを決定し、この決定したMCSがMCSxと大きく異なるものであった場合（このとき決定したMCSをMCSyとする）、MCSとしてMCSyを格納したPDCCH信号をDCI  format  1Aを用いて送信する（ステップＳ４６）。その次のPDCCH信号の送信タイミングでは、MCSをMCSyから変更しないためD＿MCS＝３としてDCI  format  1Hを用いたPDCCH信号を送信する（ステップＳ４７）。
【００５３】
なお、図２０では、DCI  format  1A／1Hを切り替えることにより制御を行う例を説明したが、同様に、DCI  format  2A／2Hの切り替えを行う制御も可能である。また、MCSの替わりにD＿MCSを用い、実施の形態２と同様にResource  Block  assignmentを削除したフォーマットを定義して用いることもできる。また、MCSの替わりにD＿MCSを用い、実施の形態３と同様に、HARQ初送の場合に用いる、NDIおよびRVの情報を削除したフォーマットを定義して用いることもできる。
【００５４】
以上のように、本実施の形態では、基地局は、MCSの変更がない場合またはMCSを大きく変更しない（ランクを一定範囲で増減させる）場合に、MCSの代わりにD＿MCSを用いてビット数を削減したDCI  format  1Hを用いてPDCCH信号を送信するようにした。このため、制御ビット数を削減しながらも、MCSの変更が可能となる。
【００５５】
実施の形態５．
以下、本発明にかかる無線通信システムにおける実施の形態５の端末の動作について説明する。本実施の形態の無線通信システムを構成する基地局および端末の構成は、実施の形態１と同様である。以下、実施の形態１と異なる部分について説明する。
【００５６】
以上の実施の形態１〜４で述べた新しく定義したDCI  formatを用いる場合、端末は、既存formatと新規定義formatのうち採用されるもの全てを検出候補とする。しかし、上述したように、周波数軸上でのPDCCH信号の存在位置や検出すべき既存Formatにはそれぞれ複数の候補があり、さらに新たなDCI  formatを追加した場合、端末のPDCCH検出動作の負荷が増大する。
【００５７】
本実施の形態では、PDCCH検出動作の負荷増大の回避について説明する。実施の形態１で述べたDCI  format  1Eを採用した場合、図１０からわかるように、CQI報告後の最初のPDCCH信号（ステップＳ１２、Ｓ１６で送信される信号）では、DCI  format  1Aが用いられ、２回目以降のPDCCH信号（ステップＳ１３、１４、１７で送信される信号）ではDCI  format  1Eが用いられる。従って、端末は、CQI報告直後（CQIを報告してからMCSを通知されるまでの間）は既存のDCI  formatのみを検出対象とし、CQI報告後に一度既存のDCI  formatを検出した後は、次に端末自身がCQIを報告するまで、新規のDCI  format  1E／2Eのみを検出対象とすることが考えられる。また、基地局も、CQI受信直後のPDCCH信号送信時には既存のDCI  formatを使用し、CQI受信後２回目以降のPDCCH信号送信時には、新規のDCI  format  1E／2Eを使用することとする。これにより、端末のPDCCH検出動作におけるPDCCH検出候補が削減でき、端末の処理負荷増大を抑制することができる。
【００５８】
実施の形態２で述べたDCI  format  1Fを採用した場合、図１３からわかるように、端末がNACKを返送し、それに対するHARQ再送を行うときのみDCI  format  1Fが用いられ（ステップＳ２４）、それ以外ではDCI  format  1Aが用いられている。従って、端末は、NACK返送後、新たにACKを返送するまでの間は、新規のDCI  format  1F／2Fのみを検出対象とし、それ以外のタイミングでは既存のDCI  formatのみを検出対象とすればよい。また、基地局も、HARQ再送するときのみ新規のDCI  format  1F／2Fを使用し、それ以外のタイミングでは既存のDCI  formatを使用することとする。
【００５９】
実施の形態３で述べたDCI  format  1Gを採用した場合、図１６からわかるように、CQI報告後の最初のPDCCH信号（ステップＳ３２で送信されるPDCCH信号）、およびHARQ再送実施時のPDCCH信号（ステップＳ３６で送信されるPDCCH信号）では、DCI  format  1Aが用いられ、それ以外ではDCI  format  1Gが送られている。従って、端末は、CQI報告直後は既存のDCI  formatのみを検出対象とし、NACK返送後のHARQ再送が行われるタイミング（NACK返送後からACKを返送するまでの間）でも既存のDCI  formatのみを検出対象とし、これらのタイミング以外では、新規のDCI  format  1G／2Gのみを検出対象とすればよい。また、基地局も、CQI受信直後のPDCCH信号の送信時、およびHARQ再送時には既存のDCI  formatを使用し、それ以外のPDCCH信号の送信時には、新規のDCI  format  1G／2Gを使用することとする。
【００６０】
実施の形態４で述べたDCI  format  1Hを採用した場合、図２０からわかるように、CQI報告後の最初のPDCCH信号（ステップＳ４２，Ｓ４６で送信されるPDCCH信号）では、DCI  format  1Aが送られ、２回目以降のPDCCH信号（ステップＳ４３，Ｓ４４，Ｓ４７で送信されるPDCCH信号）ではDCI  format  1Hが用いられている。従って、端末は、CQI報告直後は既存のDCI  formatのみを検出対象とし、CQI報告後に一度既存のDCI  formatを検出した後は、次に端末自身がCQIを報告するまで、新規のDCI  format  1H／2Hのみを検出対象とすればよい。また、基地局も、CQI受信直後のPDCCH信号の送信時には既存のDCI  formatを使用し、２回目以降のPDCCH信号の送信時には、新規のDCI  format  1H／2Hを使用することとする。
【００６１】
なお、上記DCI  format  1E／1F／1G／1H／2E／2F／2G／2Hのいずれの場合も、CQI受信後に基地局が送信した最初のPDCCH信号を端末が検出できない場合がある。これは、無線回線品質が劣化し、端末においてCRC  OKとならない場合などに発生する。この場合、端末はPDSCH信号の復号が正しく行われたか否かを示すACK／NACKを通知するPUCCH信号を返送することをしない。このため、基地局は、最初のPDCCH／PDSCH信号の送信に対するACK／NACを一定時間以上経過しても受信しない場合には、再度DCI  format  1Aを用いてPDCCH信号を送信する動作とすれば、送信側の使用DCI  formatと受信側の検出候補DCI  formatが異なる状態を回避できる。
【００６２】
以上のように、本実施の形態では、新規のDCI  formatが用いられる条件に基づいて、端末がPDCCH検出動作において考慮するPDCCH検出候補を制約するようにした。このため、制御ビット数の削減が実現できるとともに、端末が実施するPDCCH検出の候補数が削減でき、端末の処理負荷の増大を抑制することができる。
【産業上の利用可能性】
【００６３】
以上のように、本発明にかかる無線通信システム、無線通信装置、無線通信方法は、LTEおよびLTE−Advancedの規格に対応した無線通信システムに有用である。
【符号の説明】
【００６４】
１１，２１  制御部、１２  PDCCH／PDSCH生成部、１３，２４  送受信部、１４  PUCCH解析部、２２  ユーザインタフェース部、２３  PDCCH／PDSCH復号化部、２５  品質測定部、２６  PUCCH生成部。
【図１】
2014204285.tif 000003
【図２】
2014204285.tif 000004
【図３】
2014204285.tif 000005
【図４】
2014204285.tif 000006
【図５】
2014204285.tif 000007
【図６】
2014204285.tif 000008
【図７】
2014204285.tif 000009
【図８】
2014204285.tif 000010
【図９】
2014204285.tif 000011
【図１０】
2014204285.tif 000012
【図１１】
2014204285.tif 000013
【図１２】
2014204285.tif 000014
【図１３】
2014204285.tif 000015
【図１４】
2014204285.tif 000016
【図１５】
2014204285.tif 000017
【図１６】
2014204285.tif 000018
【図１７】
2014204285.tif 000019
【図１８】
2014204285.tif 000020
【図１９】
2014204285.tif 000021
【図２０】
2014204285.tif 000022